【手続補正書】
【提出日】平成30年2月23日(2018.2.23)
【手続補正１】
【補正対象書類名】特許請求の範囲
【補正対象項目名】全文
【補正方法】変更
【補正の内容】
【特許請求の範囲】
【請求項１】
システムとともに使用するためのモジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および混合エレメントを含む撹拌機であって、前記撹拌機の前記シャフトは、前記ベースから延在しており、また、前記ボスの前記内側ボアに対してスライド可能であり、前記撹拌機が、第１の位置と第２の位置との間で移動可能であるようになっており、前記撹拌機の前記シャフトの一部分が、前記システムの動作の間に、前記システムのドライブシャフトによって係合されることとなる、撹拌機と
を含むことを特徴とするモジュール。
【請求項２】
請求項１に記載のモジュールであって、前記撹拌機の前記シャフトは、コレットを含み、前記コレットは、前記システムの前記ドライブシャフトのノッチに係合するように構成されており、前記撹拌機を前記ドライブシャフトにロックし、前記ドライブシャフトの平行移動が、前記撹拌機の対応する平行移動を結果として生じさせるようになっていることを特徴とするモジュール。
【請求項３】
請求項１に記載のモジュールであって、前記撹拌機の前記シャフトは、突出部を有しており、前記突出部は、前記ハウジングの前記ボスの前記内側ボアの中のノッチに嵌合し、前記突出部および前記ノッチは、前記ドライブシャフトの汚染を防止することを支援するための機械的なシールを形成することを特徴とするモジュール。
【請求項４】
請求項１に記載のモジュールであって、前記ドライブシャフトが前記撹拌機の前記シャフトに係合しているときに、前記ハウジングの前記ボスおよび前記撹拌機の前記シャフトは、前記ハウジングの前記内部キャビティーから前記ドライブシャフトを隔離していることを特徴とするモジュール。
【請求項５】
請求項１に記載のモジュールであって、前記モジュールは、前記ハウジングの前記内部キャビティーの中に位置決めされている配合物をさらに含み、
前記第１の位置から前記第２の位置へ前記撹拌機が移動することに応答して、前記配合物の少なくとも一部分が、前記ハウジングの前記内部キャビティーから、前記モジュールの下方に位置決めされている容器へ移動し、
前記ドライブシャフトが前記撹拌機の前記シャフトに係合しているときに、前記ハウジングの前記ボスおよび前記撹拌機の前記シャフトが、前記配合物の前記少なくとも一部分から前記ドライブシャフトを隔離している、
ことを特徴とするモジュール。
【請求項６】
請求項１に記載のモジュールであって、前記ハウジングは、カップラーを含み、前記カップラーは、前記内部キャビティーから離れるように、前記ハウジングの前記第１の端部から突出しており、前記カップラーは、前記システムのカップリングメカニズムによって係合されることとなることを特徴とするモジュール。
【請求項７】
請求項１に記載のモジュールであって、前記システムの前記ドライブシャフトは、前記モジュールの少なくとも一部分に回転運動を付与し、かつ前記モジュールの少なくとも一部分に平行移動運動を付与することを特徴とするモジュール。
【請求項８】
請求項１に記載のモジュールであって、前記モジュールは、前記モジュールを認証するために、前記システムによる使用のための機械可読の有形的構造体をさらに含み、前記機械可読の有形的構造体は、以下の情報：前記モジュールの内容物、混合情報、ロット情報、消費期限、再注文情報、製造業者情報、認証情報、または、それらの任意の組み合わせを含むことを特徴とするモジュール。
【請求項９】
請求項１に記載のモジュールであって、前記混合エレメントは、第１のタイプの混合エレメント、および、第２のタイプの混合エレメントを含み、
前記第１のタイプの混合エレメントは、第１の高さを有するブレードを含み、前記第２のタイプの混合エレメントは、前記第１の高さより大きい第２の高さを有するブレードを含み、
前記第２の高さは、前記撹拌機の前記シャフトの高さの半分よりも大きく、前記第２のタイプの混合エレメントの少なくとも一部分は、前記撹拌機が前記第２の位置へと移動させられるときに、前記内部キャビティーの中に残るようになっている、
ことを特徴とするモジュール。
【請求項１０】
請求項１に記載のモジュールであって、前記混合エレメントはブレードを含み、前記ブレードは、前記撹拌機が前記第２の位置へと移動させられるときに、当該ブレードの少なくとも一部分が前記内部キャビティーの中に残るような高さを有することを特徴とするモジュール。
【請求項１１】
請求項１に記載のモジュールであって、前記ハウジングは、前記ハウジングの前記第２の対向する端部において、第１のシーリング特徴部を含み、前記撹拌機の前記ベースは、その周囲に沿って第２のシーリング特徴部を含み、前記第１のシーリング特徴部および前記第２のシーリング特徴部は、前記撹拌機が前記第１の位置にあるときに、前記内部キャビティーをシールするように嵌合していることを特徴とするモジュール。
【請求項１２】
請求項１に記載のモジュールであって、前記撹拌機の前記シャフトは、概して円筒形状のセクションを含み、前記概して円筒形状のセクションは、前記ハウジングの前記ボスの前記内側ボアの中に形成されている軸受セクションに係合し、前記撹拌機が前記ハウジングに対して回転させられているときにグラグラすることを最小化することを支援することを特徴とするモジュール。
【請求項１３】
飲料混合システムとともに使用するための配合モジュールであって、前記配合モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定しており、前記ハウジングは、前記内部キャビティーから離れるように前記ハウジングの前記第１の端部から突出しているカップラーを含み、前記カップラーは、前記飲料混合システムのカップリングメカニズムによって係合されることとなり、前記飲料混合システムの前記カップリングメカニズムに対する前記ハウジングの平行移動を防止する、ハウジングと、
ベース、シャフト、および混合エレメントを含む撹拌機であって、前記撹拌機の前記ベースは、前記ハウジングの第２の端部に付着され、前記内部キャビティーをシールしており、前記撹拌機の前記シャフトは、前記ベースから延在しており、また、前記ボスの前記内側ボアに対してスライド可能であり、前記撹拌機の前記シャフトおよび前記混合エレメントが、第１の位置と第２の位置との間で移動可能であるようになっており、前記撹拌機の前記シャフトの一部分が、前記飲料混合システムの動作の間に、前記飲料混合システムのドライブシャフトによって係合されることとなる、撹拌機と
を含み、
前記ドライブシャフトが前記撹拌機の前記シャフトに係合しているときに、前記ハウジングの前記ボスは、前記撹拌機の前記シャフトと併用して、前記ハウジングの前記内部キャビティーから前記ドライブシャフトを隔離していることを特徴とする配合モジュール。
【請求項１４】
請求項１３に記載の配合モジュールであって、前記撹拌機の前記シャフトは、コレットを含み、前記コレットは、前記飲料混合システムの前記ドライブシャフトに係合するように構成されており、前記撹拌機を前記ドライブシャフトにロックし、前記ドライブシャフトの平行移動が、前記撹拌機の対応する平行移動を結果として生じさせるようになっていることを特徴とする配合モジュール。
【請求項１５】
請求項１３に記載の配合モジュールであって、前記カップラーは、複数の歯を含み、前記複数の歯は、前記飲料混合システムの前記カップリングメカニズムによって係合されるように構成され、前記カップリングメカニズムに対する前記ハウジングの回転を防止することを特徴とする配合モジュール。
【請求項１６】
請求項１３に記載の配合モジュールであって、前記撹拌機が前記第１の位置にあるときに、および、前記撹拌機が前記第２の位置にあるときに、前記ボスおよび前記撹拌機の前記シャフトは、前記ハウジングの前記内部キャビティーから前記ドライブシャフトを隔離していることを特徴とする配合モジュール。
【手続補正２】
【補正対象書類名】明細書
【補正対象項目名】発明の名称
【補正方法】変更
【補正の内容】
【発明の名称】飲料を混合するためのシステムとともに使用するためのモジュール
【手続補正３】
【補正対象書類名】明細書
【補正対象項目名】０１８７
【補正方法】変更
【補正の内容】
【０１８７】
上記の実装形態それぞれおよびその明らかな変形例は、特許請求されている発明の精神および範囲の中に入るものとして企図されており、特許請求されている発明は、以下の特許請求の範囲の中に述べられている。
＜付記＞
［１］
システムとともに使用するためのモジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および混合エレメントを含む撹拌機であって、前記撹拌機の前記シャフトは、前記ベースから延在しており、また、前記ボスの前記内側ボアに対してスライド可能であり、前記撹拌機が、第１の位置と第２の位置との間で移動可能であるようになっており、前記撹拌機の前記シャフトの一部分が、前記システムの動作の間に、前記システムのドライブシャフトによって係合されることとなる、撹拌機と
を含むことを特徴とするモジュール。
［２］
上記［１］に記載のモジュールであって、前記撹拌機の前記シャフトは、コレットを含み、前記コレットは、前記システムの前記ドライブシャフトのノッチに係合するように構成されており、前記撹拌機を前記ドライブシャフトにロックし、前記ドライブシャフトの平行移動が、前記撹拌機の対応する平行移動を結果として生じさせるようになっていることを特徴とするモジュール。
［３］
上記［２］に記載のモジュールであって、前記ノッチは、前記ドライブシャフトの外部表面の中に形成されていることを特徴とするモジュール。
［４］
上記［１］に記載のモジュールであって、前記撹拌機の前記ベースは、前記ハウジングの前記第２の端部に付着され、前記内部キャビティーをシールすることを特徴とするモジュール。
［５］
上記［１］に記載のモジュールであって、前記撹拌機の前記シャフトは、突出部を有しており、前記突出部は、前記ハウジングの前記ボスの前記内側ボアの中のノッチに嵌合することを特徴とするモジュール。
［６］
上記［５］に記載のモジュールであって、前記突出部および前記ノッチは、前記ドライブシャフトの汚染を防止することを支援するための機械的なシールを形成することを特徴とするモジュール。
［７］
上記［１］に記載のモジュールであって、前記ドライブシャフトが前記撹拌機の前記シャフトに係合しているときに、前記ハウジングの前記ボスおよび前記撹拌機の前記シャフトは、前記ハウジングの前記内部キャビティーから前記ドライブシャフトを隔離していることを特徴とするモジュール。
［８］
上記［１］に記載のモジュールであって、前記モジュールは、前記ハウジングの前記内部キャビティーの中に位置決めされている配合物をさらに含むことを特徴とするモジュール。
［９］
上記［８］に記載のモジュールであって、前記第１の位置から前記第２の位置へ前記撹拌機が移動することに応答して、前記配合物の少なくとも一部分が、前記ハウジングの前記内部キャビティーから、前記モジュールの下方に位置決めされている容器へ移動することを特徴とするモジュール。
［１０］
上記［８］に記載のモジュールであって、前記ドライブシャフトが前記撹拌機の前記シャフトに係合しているときに、前記ハウジングの前記ボスおよび前記撹拌機の前記シャフトは、前記配合物から前記ドライブシャフトを隔離していることを特徴とするモジュール。
［１１］
上記［９］に記載のモジュールであって、前記ドライブシャフトが前記撹拌機の前記シャフトに係合しているときに、前記ハウジングの前記ボスおよび前記撹拌機の前記シャフトが、前記配合物の前記少なくとも一部分から前記ドライブシャフトを隔離していることを特徴とするモジュール。
［１２］
上記［９］に記載のモジュールであって、前記容器は、その中に液体を含むことを特徴とするモジュール。
［１３］
上記［９］に記載のモジュールであって、前記第１の位置は、シールされた位置であり、前記第２の位置は、シールされていない位置であることを特徴とするモジュール。
［１４］
上記［１］に記載のモジュールであって、前記ハウジングは、カップラーを含み、前記カップラーは、前記内部キャビティーから離れるように、前記ハウジングの前記第１の端部から突出しており、前記カップラーは、前記システムのカップリングメカニズムによって係合されることとなることを特徴とするモジュール。
［１５］
上記［１４］に記載のモジュールであって、前記カップラーは、概して円形のヘッドを有していることを特徴とするモジュール。
［１６］
上記［１４］に記載のモジュールであって、前記カップラーは、前記システムの前記カップリングメカニズムに対する前記ハウジングの回転を防止することを支援することを特徴とするモジュール。
［１７］
上記［１４］に記載のモジュールであって、前記カップラーは、前記システムの前記カップリングメカニズムに対する前記ハウジングの平行移動を防止することを支援することを特徴とするモジュール。
［１８］
上記［１４］に記載のモジュールであって、前記システムの前記ドライブシャフトは、前記モジュールの少なくとも一部分に回転運動を付与することを特徴とするモジュール。
［１９］
上記［１４］に記載のモジュールであって、前記システムの前記ドライブシャフトは、前記モジュールの少なくとも一部分に平行移動運動を付与することを特徴とするモジュール。
［２０］
上記［１４］に記載のモジュールであって、前記カップラーは、複数の歯を含み、前記複数の歯は、前記システムの前記カップリングメカニズムによって係合されることとなり、前記カップリングメカニズムに対する前記ハウジングの回転を防止することを特徴とするモジュール。
［２１］
上記［１］に記載のモジュールであって、前記モジュールは、前記モジュールを認証するために、前記システムによる使用のための機械可読の有形的構造体をさらに含むことを特徴とするモジュール。
［２２］
上記［２１］に記載のモジュールであって、前記機械可読の有形的構造体は、前記ハウジングの中へ埋め込まれていることを特徴とするモジュール。
［２３］
上記［２１］に記載のモジュールであって、前記機械可読の有形的構造体は、以下の情報：前記モジュールの内容物、混合情報、ロット情報、消費期限、再注文情報、製造業者情報、認証情報、または、それらの任意の組み合わせを含むことを特徴とするモジュール。
［２４］
上記［１］に記載のモジュールであって、前記システムの前記ドライブシャフトは、メインシャフト部分、セカンダリーシャフト部分、およびスリーブ部分を含むことを特徴とするモジュール。
［２５］
上記［２４］に記載のモジュールであって、前記セカンダリーシャフト部分は、ねじ込み式の接続を介して前記メインシャフト部分に連結されており、前記スリーブ部分は、前記メインシャフト部分に連結され、１つ以上のセットスクリューを介して、前記メインシャフト部分の上に保持されていることを特徴とするモジュール。
［２６］
上記［２４］に記載のモジュールであって、前記セカンダリーシャフト部分は、回転ロッキング特徴部を含み、前記スリーブ部分は、平行移動ロッキング特徴部を含むことを特徴とするモジュール。
［２７］
上記［２６］に記載のモジュールであって、前記回転ロッキング特徴部は、複数のスプラインを含み、前記平行移動ロッキング特徴部は、水平方向に対してゼロでない角度で位置決めされている表面を含むことを特徴とするモジュール。
［２８］
上記［２７］に記載のモジュールであって、前記角度は、約１０度から４５度の間にあることを特徴とするモジュール。
［２９］
上記［２７］に記載のモジュールであって、前記角度は、約２０度から３５度の間にあることを特徴とするモジュール。
［３０］
上記［２７］に記載のモジュールであって、前記角度は、約２８度から３２度の間にあることを特徴とするモジュール。
［３１］
上記［２６］に記載のモジュールであって、前記撹拌機の前記シャフトは、コレットを含み、前記コレットは、前記スリーブ部分の前記平行移動ロッキング特徴部に係合するように構成されており、前記撹拌機を前記ドライブシャフトにロックし、前記ドライブシャフトの平行移動が、前記撹拌機の対応する平行移動を結果として生じさせるようになっていることを特徴とするモジュール。
［３２］
上記［３１］に記載のモジュールであって、前記平行移動ロッキング特徴部は、前記ドライブシャフトの前記スリーブ部分の内部表面の中に形成されていることを特徴とするモジュール。
［３３］
上記［３１］に記載のモジュールであって、前記コレットは、複数の撓み可能なフィンガーを含み、それぞれのフィンガーは、前記スリーブ部分の前記平行移動ロッキング特徴部に係合するように構成されているロッキングタブを含むことを特徴とするモジュール。
［３４］
上記［１］に記載のモジュールであって、前記撹拌機の前記シャフトは、１つ以上の円周方向に延在する突出部を含み、前記１つ以上の円周方向に延在する突出部は、前記ハウジングの前記ボスの前記内側ボアの中に形成されているアンダーカットに嵌合し、前記ハウジングの中に前記撹拌機を保持することを支援することを特徴とするモジュール。
［３５］
上記［１４］に記載のモジュールであって、前記カップラーは、複数の非回転のロッキング溝部を含み、前記非回転のロッキング溝部は、前記システムの前記カップリングメカニズムによって係合されることとなり、前記カップリングメカニズムに対する前記ハウジングの回転を防止することを特徴とするモジュール。
［３６］
上記［１４］に記載のモジュールであって、前記カップリングメカニズムは、本体部、１対のアーム、およびラッチメカニズムを含むことを特徴とするモジュール。
［３７］
上記［３６］に記載のモジュールであって、前記１対のアームは、前記本体部から延在しており、前記カップラーのネックに係合するように位置決めされていることを特徴とするモジュール。
［３８］
上記［３６］に記載のモジュールであって、前記ラッチメカニズムは、レバー部分、カンチレバービーム部分、および非回転のグリッピング部分を含むことを特徴とするモジュール。
［３９］
上記［３８］に記載のモジュールであって、前記レバー部分は、前記カンチレバービーム部分の第１の表面から延在しており、前記非回転のグリッピング部分は、前記カンチレバービーム部分の対向する第２の表面から延在していることを特徴とするモジュール。
［４０］
上記［１］に記載のモジュールであって、前記混合エレメントは、第１のタイプの混合エレメント、および、第２のタイプの混合エレメントを含むことを特徴とするモジュール。
［４１］
上記［４０］に記載のモジュールであって、前記第１のタイプの混合エレメントは、第１の高さを有するブレードを含み、前記第２のタイプの混合エレメントは、前記第１の高さより大きい第２の高さを有するブレードを含むことを特徴とするモジュール。
［４２］
上記［４１］に記載のモジュールであって、前記第２の高さは、前記撹拌機の前記シャフトの高さの半分よりも大きく、前記第２のタイプの混合エレメントの少なくとも一部分は、前記撹拌機が前記第２の位置へと移動させられるときに、前記内部キャビティーの中に残るようになっていることを特徴とするモジュール。
［４３］
上記［４１］に記載のモジュールであって、前記撹拌機が前記第２の位置へと移動させられるときに、前記第２のタイプの混合エレメントの少なくとも一部分は、前記内部キャビティーの中に残り、前記第１のタイプの混合エレメントは、前記内部キャビティーの完全に外側にあることを特徴とするモジュール。
［４４］
上記［４１］に記載のモジュールであって、前記第２のタイプの混合エレメントは、前記撹拌機が前記第２の位置にあるときに、前記内部キャビティーの中に粘着した配合物を除去することを支援することを特徴とするモジュール。
［４５］
上記［１］に記載のモジュールであって、前記ハウジングは、前記ハウジングの前記第２の対向する端部において、第１のシーリング特徴部を含み、前記撹拌機の前記ベースは、その周囲に沿って第２のシーリング特徴部を含み、前記第１のシーリング特徴部および前記第２のシーリング特徴部は、前記撹拌機が前記第１の位置にあるときに、前記内部キャビティーをシールするように嵌合していることを特徴とするモジュール。
［４６］
上記［４５］に記載のモジュールであって、前記第１のシーリング特徴部および前記第２のシーリング特徴部は、階段状になっていることを特徴とするモジュール。
［４７］
上記［１］に記載のモジュールであって、前記撹拌機の前記シャフトは、１つ以上のリブ部を含み、前記１つ以上のリブ部は、前記ハウジングの前記ボスの前記内側ボアの中に形成されているリブテーパー付きのセクションに係合し、前記ハウジングの中に前記撹拌機を保持することを支援することを特徴とするモジュール。
［４８］
上記［４７］に記載のモジュールであって、前記１つ以上のリブ部は、４つのリブ部を含むことを特徴とするモジュール。
［４９］
上記［４７］に記載のモジュールであって、前記１つ以上のリブ部は、クラッシュリブ部であり、前記クラッシュリブ部は、前記リブテーパー付きのセクションによって係合されるときに、少なくとも部分的に変形することを特徴とするモジュール。
［５０］
上記［４７］に記載のモジュールであって、前記１つ以上のリブ部のそれぞれは、テーパー付きのプロファイルを有しており、それぞれのリブ部の前面が、垂直方向に対してゼロでない角度であるようになっていることを特徴とするモジュール。
［５１］
上記［５０］に記載のモジュールであって、前記リブテーパー付きのセクションは、テーパー付きのプロファイルを含み、前記リブテーパー付きのセクションの表面が、前記リブ部のそれぞれの前記角度に対応する、垂直方向に対してゼロでない角度であるようになっていることを特徴とするモジュール。
［５２］
上記［１］に記載のモジュールであって、前記撹拌機の前記シャフトは、概して円筒形状のセクションを含み、前記概して円筒形状のセクションは、前記ハウジングの前記ボスの前記内側ボアの中に形成されている軸受セクションに係合し、前記撹拌機が前記ハウジングに対して回転させられているときにグラグラすることを最小化することを支援することを特徴とするモジュール。
［５３］
上記［１］に記載のモジュールであって、前記ハウジングの前記第２の対向する端部は、前記撹拌機の前記ベースに固定して取り付けられていることを特徴とするモジュール。
［５４］
上記［１］に記載のモジュールであって、前記ハウジングの前記第２の対向する端部は、前記撹拌機の前記ベースに溶接されていることを特徴とするモジュール。
［５５］
上記［１］に記載のモジュールであって、前記ハウジングの前記第２の対向する端部は、前記撹拌機の前記ベースに音波溶接されていることを特徴とするモジュール。
［５６］
上記［１］に記載のモジュールであって、前記撹拌機の前記ベースは、エネルギーディレクターを含み、前記ハウジングの前記第２の対向する端部を前記撹拌機の前記ベースに音波溶接することを支援することを特徴とするモジュール。
［５７］
上記［５３］に記載のモジュールであって、前記撹拌機の前記ベースは、円周方向に延在する薄くなった部分を含むことを特徴とするモジュール。
［５８］
上記［５７］に記載のモジュールであって、前記ベースの前記円周方向に延在する薄くなった部分は、飲料混合システムのナイフによって係合されるように構成されており、前記円周方向に延在する薄くなった部分に沿って前記ベースをカットすることによって、前記撹拌機の前記ベースを前記ハウジングから分離することを特徴とするモジュール。
［５９］
上記［５８］に記載のモジュールであって、前記ナイフは、前記飲料混合システムのハウジングに取り付けられているナイフベースの中に含まれることを特徴とするモジュール。
［６０］
上記［５８］に記載のモジュールであって、前記ナイフは、概してリングの形状になっており、前記ナイフが、薄くなった部分全体に同時に係合するように構成されるようになっていることを特徴とするモジュール。
［６１］
上記［５７］に記載のモジュールであって、前記薄くなった部分は、弱化線、切り取り線などであることを特徴とするモジュール。
［６２］
上記［１］に記載のモジュールであって、前記ハウジングの前記第２の対向する端部は、前記撹拌機の前記ベースに固定して取り付けられていることを特徴とするモジュール。
［６３］
上記［６２］に記載のモジュールであって、前記撹拌機の前記ベースは、円周方向に延在する薄くなった部分を含むことを特徴とするモジュール。
［６４］
上記［６３］に記載のモジュールであって、前記円周方向に延在する薄くなった部分は、約３千分の１インチから約１万分の１インチの間の厚さを有していることを特徴とするモジュール。
［６５］
上記［６３］に記載のモジュールであって、前記ベースの前記円周方向に延在する薄くなった部分は、スナップオンナイフベースのナイフによって係合されるように構成されており、前記円周方向に延在する薄くなった部分に沿って前記ベースをカットすることによって、前記撹拌機の前記ベースを前記ハウジングから分離することを特徴とするモジュール。
［６６］
上記［６３］に記載のモジュールであって、前記モジュールは、本体部分と、複数のロッキングタブと、およびナイフとを含むスナップオンナイフベースをさらに含むことを特徴とするモジュール。
［６７］
上記［６６］に記載のモジュールであって、前記スナップオンナイフベースは、前記ハウジングの前記第２の対向する端部、および、前記撹拌機の前記ベースの一部分に連結されており、前記ナイフが、前記円周方向に延在する薄くなった部分に隣接して位置決めされるようになっていることを特徴とするモジュール。
［６８］
上記［６６］に記載のモジュールであって、前記本体部分、前記複数のロッキングタブ、および前記ナイフは、同じ材料から作製されていることを特徴とするモジュール。
［６９］
上記［６８］に記載のモジュールであって、前記材料は、プラスチックであることを特徴とするモジュール。
［７０］
上記［６６］に記載のモジュールであって、前記本体部分、前記複数のロッキングタブ、および前記ナイフは、単一のモノリシックのパーツであることを特徴とするモジュール。
［７１］
上記［６６］に記載のモジュールであって、前記ナイフは、１つ以上のバーブを含み、前記円周方向に延在する薄くなった部分のカットを開始することを支援することを特徴とするモジュール。
［７２］
上記［１］に記載のモジュールであって、前記モジュールは、メッシュをさらに含み、前記メッシュは、前記撹拌機の前記ベースと前記ハウジングの前記ボスとの間に連結されており、前記メッシュが、その中にメッシュキャビティーを画定するようになっていることを特徴とするモジュール。
［７３］
上記［７２］に記載のモジュールであって、前記メッシュは、前記撹拌機の周囲縁部に隣接する前記撹拌機の前記ベースに円周方向に連結されており、さらに、前記ボスに円周方向に連結されており、前記撹拌機が前記第１の位置から前記第２の位置へ移動するときに、前記メッシュが伸びるようになっていることを特徴とするモジュール。
［７４］
上記［７２］に記載のモジュールであって、前記メッシュは、伸びることが可能であることを特徴とするモジュール。
［７５］
上記［７２］に記載のモジュールであって、前記メッシュは、金属材料から作製されていることを特徴とするモジュール。
［７６］
上記［７２］に記載のモジュールであって、前記メッシュは、ティーバッグのようなポッドを形成していることを特徴とするモジュール。
［７７］
上記［７２］に記載のモジュールであって、前記モジュールは、前記メッシュキャビティーの中に含有されている材料をさらに含み、前記撹拌機が前記第１の位置から前記第２の位置へ移動するときに、前記材料が、前記メッシュによって前記メッシュキャビティーの中に実質的に保持されるようになっていることを特徴とするモジュール。
［７８］
上記［７７］に記載のモジュールであって、前記材料は、茶葉、コーヒー製品、粉末材料、ゲル材料、栄養補助配合物、ビタミン材料、医薬品材料、水香味料、または、それらの任意の組み合わせを含むことを特徴とするモジュール。
［７９］
上記［１］に記載のモジュールであって、前記混合エレメントは、前記撹拌機の前記ベースから突出しており、前記撹拌機が前記第１の位置または前記第２の位置にあるときに、前記混合エレメントが、前記内部キャビティーの中にはないようになっていることを特徴とするモジュール。
［８０］
上記［１］に記載のモジュールであって、前記シャフトは、前記撹拌機の前記ベースから第１の方向に延在しており、前記混合エレメントは、前記撹拌機の前記ベースから、前記第１の方向の反対側の第２の方向に延在していることを特徴とするモジュール。
［８１］
上記［１］に記載のモジュールであって、前記モジュールは、メッシュをさらに含み、前記メッシュは、前記撹拌機の前記ベースに連結されており、前記メッシュが、その中にメッシュキャビティーを画定するようになっていることを特徴とするモジュール。
［８２］
上記［１］に記載のモジュールであって、前記モジュールは、スタッキング構造体をさらに含み、前記スタッキング構造体は、前記撹拌機の前記ベースから延在し、前記撹拌機の前記シャフトの少なくとも一部分を取り囲んでいることを特徴とするモジュール。
［８３］
上記［８２］に記載のモジュールであって、前記モジュールは、前記スタッキング構造体と前記シャフトとの間にギャップをさらに含み、前記ハウジングの前記ボスの少なくとも一部分を受け入れることを特徴とするモジュール。
［８４］
上記［８２］に記載のモジュールであって、前記スタッキング構造体は、概して円筒形状のコアと、前記概して円筒形状のコアに沿って間隔を置いて配置された１つ以上の円周方向に延在するバーブとを含むことを特徴とするモジュール。
［８５］
上記［８４］に記載のモジュールであって、前記１つ以上の円周方向に延在するバーブのそれぞれは、その上に配合物リングを支持するように構成されていることを特徴とするモジュール。
［８６］
上記［８２］に記載のモジュールであって、スタッキング構造体および前記撹拌機は、モノリシックであることを特徴とするモジュール。
［８７］
上記［８２］に記載のモジュールであって、前記モジュールは、１つ以上のナイフエッジをさらに含み、前記１つ以上のナイフエッジは、前記ハウジングの内側の表面から前記ボスに向かって突出しており、また、前記撹拌機が前記第１の位置から前記第２の位置へ移動するときに、前記スタッキング構造体の上に支持されている１つ以上の配合物リングをカットするように位置決めされていることを特徴とするモジュール。
［８８］
上記［１］に記載のモジュールであって、前記モジュールは、１つ以上の配合物パッケージをさらに含み、前記１つ以上の配合物パッケージは、前記内部キャビティーの中に位置決めされ、前記撹拌機の前記ベースによって少なくとも部分的に支持されていることを特徴とするモジュール。
［８９］
上記［８８］に記載のモジュールであって、前記１つ以上の配合物パッケージのそれぞれは、概してパイ形状の断面、概して円形形状の断面、概して三角形形状の断面、概して多角形形状の断面、または、それらの組み合わせを有していることを特徴とするモジュール。
［９０］
上記［８８］に記載のモジュールであって、前記１つ以上の配合物パッケージのそれぞれは、概してチューブ状の形状を有していることを特徴とするモジュール。
［９１］
上記［８８］に記載のモジュールであって、前記１つ以上の配合物パッケージのそれぞれは、概して立方体の形状を有していることを特徴とするモジュール。
［９２］
上記［８８］に記載のモジュールであって、前記１つ以上の配合物パッケージのそれぞれは、概して円筒形状の形状を有していることを特徴とするモジュール。
［９３］
上記［８８］に記載のモジュールであって、前記１つ以上の配合物パッケージは、前記モジュールのユーザーによって選択され、前記内部キャビティーの中に手動で含められることを特徴とするモジュール。
［９４］
上記［８８］に記載のモジュールであって、前記１つ以上の配合物パッケージは、前記モジュールのユーザーによって選択され、前記システムによって前記内部キャビティーの中に自動的に含められることを特徴とするモジュール。
［９５］
上記［８８］に記載のモジュールであって、前記システムは、前記撹拌機が前記第１の位置から前記第２の位置へ移動するときに、前記モジュールが前記内部キャビティーから前記１つ以上の配合物パッケージを選択的に解放することを引き起こすように構成されており、前記１つ以上の配合物パッケージのすべて、または、すべてよりは少ないものが、飲料の中へ混合するために解放されるようになっていることを特徴とするモジュール。
［９６］
上記［８８］に記載のモジュールであって、前記システムは、前記システムのユーザーインターフェースを使用して前記システムによって受け取られた入力に基づいて、前記モジュールが前記１つ以上の配合物パッケージを選択的に解放することを引き起こすように構成されていることを特徴とするモジュール。
［９７］
上記［１］に記載のモジュールであって、前記ハウジングは、複数のセパレーター壁部を含み、前記複数のセパレーター壁部は、前記ハウジングの内側表面から前記ボスへ延在しており、前記内部キャビティーが複数のサブキャビティーへと分離されるようになっていることを特徴とするモジュール。
［９８］
上記［９７］に記載のモジュールであって、それぞれのサブキャビティーは、前記撹拌機の前記ベースと併用して、その中に原料を含有し、他のサブキャビティーの中に含有されている原料から、前記含有されている原料の分離を維持するように構成されていることを特徴とするモジュール。
［９９］
上記［９８］に記載のモジュールであって、前記サブキャビティーのうちの１つの中に含有されているそれぞれの原料は、異なる原料であることを特徴とするモジュール。
［１００］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定しており、前記内側ボアは、アンダーカットを含む、ハウジングと、
ベース、シャフト、および混合エレメントを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっており、前記シャフトは、１つ以上の突出部を含み、前記１つ以上の突出部は、前記撹拌機が前記シールされた位置にあるときに、前記アンダーカットに嵌合する、撹拌機と
を含むことを特徴とするモジュール。
［１０１］
上記［１００］に記載のモジュールであって、前記１つ以上の突出部は、前記撹拌機が前記シールされていない位置にあるときに、前記アンダーカットに嵌合しないことを特徴とするモジュール。
［１０２］
上記［１００］に記載のモジュールであって、前記１つ以上の突出部は、前記撹拌機が前記シールされた位置にあるときに、前記アンダーカットに嵌合し、前記ハウジングの中に前記撹拌機を保持することを支援することを特徴とするモジュール。
［１０３］
上記［１００］に記載のモジュールであって、前記１つ以上の突出部は、前記撹拌機が前記シールされた位置にあるときに、前記アンダーカットに嵌合し、前記撹拌機の前記ベースと前記ハウジングの前記第２の対向する端部との間のシールを維持することを支援することを特徴とするモジュール。
［１０４］
上記［１００］に記載のモジュールであって、前記混合エレメントは、複数のブレードを含み、前記複数のブレードのそれぞれの少なくとも一部分は、前記撹拌機の前記シャフトに直接的に取り付けられていることを特徴とするモジュール。
［１０５］
上記［１００］に記載のモジュールであって、前記撹拌機の前記シャフトの一部分は、前記混合システムの動作の間に、混合システムのドライブシャフトによって係合されるように構成されていることを特徴とするモジュール。
［１０６］
上記［１００］に記載のモジュールであって、飲料混合システムと組み合わせて、前記飲料混合システムは、（ｉ）前記飲料混合システムに対して前記モジュールを保持するためのカップラーと、（ｉｉ）前記モジュールに係合し、前記撹拌機が前記ハウジングに対して回転することを引き起こすためのドライブシャフトとを含むことを特徴とするモジュール。
［１０７］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、第１の高さを有する少なくとも１つの混合ブレード、および、前記第１の高さよりも大きい第２の高さを有する少なくとも１つの混合ブレードを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっている、撹拌機と
を含むことを特徴とするモジュール。
［１０８］
上記［１０７］に記載のモジュールであって、前記第１の高さを有する前記少なくとも１つの混合ブレード、および、前記第２の高さを有する前記少なくとも１つの混合ブレードは、前記撹拌機の前記ベースから延在しており、前記撹拌機の前記ベースと一体であることを特徴とするモジュール。
［１０９］
上記［１０７］に記載のモジュールであって、前記第２の高さは、前記撹拌機の前記シャフトの高さの半分よりも大きく、前記第２の高さを有する前記少なくとも１つの混合ブレードの少なくとも一部分が、前記撹拌機が前記シールされていない位置へと移動させられるときに、前記内部キャビティーの中に残るようになっていることを特徴とするモジュール。
［１１０］
上記［１０７］に記載のモジュールであって、前記撹拌機が前記シールされていない位置へと移動させられるときに、前記第２の高さを有する前記少なくとも１つの混合ブレードの少なくとも一部分は、前記内部キャビティーの中に残り、前記第１の高さを有する前記少なくとも１つの混合ブレードは、前記内部キャビティーの完全に外側にあることを特徴とするモジュール。
［１１１］
上記［１０７］に記載のモジュールであって、飲料混合システムと組み合わせて、前記飲料混合システムは、（ｉ）前記飲料混合システムに対して前記モジュールを保持するためのカップラーと、（ｉｉ）前記モジュールに係合し、前記撹拌機が前記ハウジングに対して回転することを引き起こすためのドライブシャフトとを含むことを特徴とするモジュール。
［１１２］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定しており、前記内側ボアは、内向きにテーパー付きのセクションを含む、ハウジングと、
ベース、シャフト、および混合エレメントを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっており、前記シャフトは、１つ以上のリブ部を含み、前記１つ以上のリブ部は、前記撹拌機が前記シールされた位置にあるときに、前記内側ボアの前記内向きにテーパー付きのセクションに係合している、撹拌機と
を含むことを特徴とするモジュール。
［１１３］
上記［１１２］に記載のモジュールであって、前記１つ以上のリブ部は、前記撹拌機が前記シールされていない位置にあるときには、前記内側ボアの前記内向きにテーパー付きのセクションに係合しないことを特徴とするモジュール。
［１１４］
上記［１１２］に記載のモジュールであって、前記１つ以上のリブ部は、前記撹拌機が前記シールされた位置にあるときに、前記内側ボアの前記内向きにテーパー付きのセクションに係合し、前記ハウジングの中に前記撹拌機を保持することを支援することを特徴とするモジュール。
［１１５］
上記［１１２］に記載のモジュールであって、前記１つ以上のリブ部は、前記撹拌機が前記シールされた位置にあるときに、前記内側ボアの前記内向きにテーパー付きのセクションに係合し、前記撹拌機の前記ベースと前記ハウジングの前記第２の対向する端部との間のシールを維持することを支援することを特徴とするモジュール。
［１１６］
上記［１１２］に記載のモジュールであって、飲料混合システムと組み合わせて、前記飲料混合システムは、（ｉ）前記飲料混合システムに対して前記モジュールを保持するためのカップラーと、（ｉｉ）前記モジュールに係合し、前記撹拌機が前記ハウジングに対して回転することを引き起こすためのドライブシャフトとを含むことを特徴とするモジュール。
［１１７］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および混合エレメントを含む撹拌機であって、前記ベースは、円周方向に延在する薄くなった部分を含み、前記ハウジングの前記第２の対向する端部に固定して取り付けられており、前記撹拌機の前記シャフトは、前記ベースから延在しており、また、前記ボスの前記内側ボアに対してスライド可能であり、前記薄くなった部分がカットされるとき、前記撹拌機が、シールされた位置とシールされていない位置との間で移動可能であるようになっている、撹拌機と
を含むことを特徴とするモジュール。
［１１８］
上記［１１７］に記載のモジュールであって、前記ハウジングの前記第２の対向する端部は、溶接接続を介して前記撹拌機のベースに固定して取り付けられていることを特徴とするモジュール。
［１１９］
上記［１１７］に記載のモジュールであって、前記ハウジングの前記第２の対向する端部は、音波溶接接続を介して前記撹拌機のベースに固定して取り付けられていることを特徴とするモジュール。
［１２０］
上記［１１７］に記載のモジュールであって、前記ベースの前記円周方向に延在する薄くなった部分は、飲料混合システムのナイフによって係合されるように構成されており、前記円周方向に延在する薄くなった部分に沿って前記ベースをカットすることによって、前記ハウジングから前記撹拌機の前記ベースを分離することを特徴とするモジュール。
［１２１］
上記［１１７］に記載のモジュールであって、前記ベースの前記円周方向に延在する薄くなった部分は、スナップオンナイフベースのナイフによって係合されるように構成されており、前記円周方向に延在する薄くなった部分に沿って前記ベースをカットすることによって、前記ハウジングから前記撹拌機の前記ベースを分離することを特徴とするモジュール。
［１２２］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および混合エレメントを含む撹拌機であって、前記ベースは、円周方向に延在する薄くなった部分を含み、前記ハウジングの前記第２の対向する端部に固定して取り付けられており、前記撹拌機の前記シャフトは、前記ベースから延在しており、また、前記ボスの前記内側ボアに対してスライド可能であり、前記薄くなった部分がカットされるとき、前記撹拌機が、シールされた位置とシールされていない位置との間で移動可能であるようになっている、撹拌機と、
スナップオンナイフベースであって、前記スナップオンナイフベースは、前記ハウジングの前記第２の対向する端部、および、前記撹拌機の前記ベースの一部分に連結されており、前記スナップオンナイフベースのナイフが、前記円周方向に延在する薄くなった部分に隣接して位置決めされるようになっている、スナップオンナイフベースと
を含むことを特徴とするモジュール。
［１２３］
上記［１２２］に記載のモジュールであって、前記ベースの前記円周方向に延在する薄くなった部分は、前記スナップオンナイフベースの前記ナイフによって係合されるように構成されており、前記円周方向に延在する薄くなった部分に沿って前記ベースをカットすることによって、前記ハウジングから前記撹拌機の前記ベースを分離することを特徴とするモジュール。
［１２４］
上記［１２２］に記載のモジュールであって、前記スナップオンナイフベースは、本体部分、複数のロッキングタブ、および前記ナイフを含み、前記複数のロッキングタブは、除去可能である方式で、前記本体部分を前記モジュールに保持することを支援することを特徴とするモジュール。
［１２５］
上記［１２４］に記載のモジュールであって、前記本体部分、前記複数のロッキングタブ、および前記ナイフは、同じ材料から作製されていることを特徴とするモジュール。
［１２６］
上記［１２５］に記載のモジュールであって、前記材料は、プラスチックであることを特徴とするモジュール。
［１２７］
上記［１２４］に記載のモジュールであって、前記本体部分、前記複数のロッキングタブ、および前記ナイフは、単一のモノリシックのパーツであることを特徴とするモジュール。
［１２８］
上記［１２４］に記載のモジュールであって、前記ナイフは、１つ以上のバーブを含み、前記円周方向に延在する薄くなった部分のカットを開始することを支援することを特徴とするモジュール。
［１２９］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および、１つ以上の混合ブレードを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっている、撹拌機と、
メッシュであって、前記メッシュは、前記撹拌機の前記ベースと前記ハウジングの前記ボスとの間に連結されており、前記メッシュがその中にメッシュキャビティーを画定するようになっている、メッシュと
を含むことを特徴とするモジュール。
［１３０］
上記［１２９］に記載のモジュールであって、前記シャフトは、前記ベースから第１の方向に延在しており、前記１つ以上の混合ブレードは、前記ベースから、前記第１の方向の反対側の第２の方向に延在していることを特徴とするモジュール。
［１３１］
上記［１２９］に記載のモジュールであって、前記メッシュは、前記撹拌機の周囲縁部に隣接する前記撹拌機の前記ベースに円周方向に連結されており、さらに、前記ボスに円周方向に連結されており、前記撹拌機が前記シールされた位置から前記シールされていない位置へ移動するときに、前記メッシュが伸びるようになっていることを特徴とするモジュール。
［１３２］
上記［１２９］に記載のモジュールであって、前記モジュールは、前記メッシュキャビティーの中に含有されている材料をさらに含み、前記撹拌機が前記シールされた位置から前記シールされていない位置へ移動するときに、前記材料が、前記メッシュによって前記メッシュキャビティーの中に実質的に保持されるようになっていることを特徴とするモジュール。
［１３３］
上記［１２９］に記載のモジュールであって、前記メッシュは、前記撹拌機の前記ベースに連結されており、前記メッシュが、前記メッシュと前記撹拌機の前記ベースとの間にメッシュキャビティーを画定するようになっていることを特徴とするモジュール。
［１３４］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および、１つ以上の混合ブレードを含む撹拌機であって、前記撹拌機の前記シャフトは、前記ベースから第１の方向に延在しており、また、前記ボスの前記内側ボアに対してスライド可能であり、前記撹拌機が、シールされた位置とシールされていない位置との間で移動可能であるようになっており、前記１つ以上の混合ブレードは、前記第１の方向の反対側の第２の方向に前記ベースから延在している、撹拌機と、
を含むことを特徴とするモジュール。
［１３５］
上記［１３４］に記載のモジュールであって、前記１つ以上の混合ブレードは、前記撹拌機の前記ベースから突出しており、前記１つ以上の混合ブレードが、前記撹拌機が前記シールされた位置にあるときには、前記内部キャビティーの中にないようになっていることを特徴とするモジュール。
［１３６］
飲料混合システムに連結されているモジュールを使用して飲料を混合する方法であって、前記モジュールは、ハウジング、撹拌機、およびメッシュを含み、前記撹拌機は、前記ハウジングに対してスライド可能であり、前記撹拌機が、第１の位置と第２の位置との間で移動可能であるようになっており、前記メッシュは、少なくとも部分的にキャビティーを画定し、また、前記撹拌機に連結されており、前記撹拌機が前記第１の位置にあるときに、および、前記撹拌機が前記第２の位置にあるときに、材料が、前記メッシュによって前記キャビティーの中に保持されており、前記方法は、
前記飲料混合システムのユーザーインターフェースを介して、前記メッシュによって前記キャビティーの中に保持されている前記材料に関する投与量情報を受け取るステップと、
前記飲料混合システムのカップリングメカニズムの中に前記モジュールの前記ハウジングを受け入れるステップと、
前記撹拌機を前記飲料混合システムのドライブシャフトに係合させるステップと、
前記ドライブシャフトを使用して、前記撹拌機が前記第１の位置から前記第２の位置へ移動することを引き起こし、それによって、前記メッシュによって前記キャビティーの中に保持されている前記材料の少なくとも一部分を、容器によって含有されている流体の中に位置決めするステップと、
受け取られた前記投与量情報に基づいて、所定の量の時間にわたって、前記撹拌機が前記第２の位置に残ることを可能にするステップと、
前記所定の量の時間の期間終了に応答して、前記ドライブシャフトを使用して、前記撹拌機が前記第２の位置から前記第１の位置へ移動して戻ることを引き起こすステップと
を含むことを特徴とする方法。
［１３７］
上記［１３６］に記載の方法であって、前記方法は、前記撹拌機が前記第２の位置にある状態で、前記ドライブシャフトを使用して前記撹拌機を移動させるステップをさらに含むことを特徴とする方法。
［１３８］
上記［１３７］に記載の方法であって、前記移動させるステップは、時計回りに、反時計回りに、または、その両方に、前記撹拌機を回転させるステップを含むことを特徴とする方法。
［１３９］
上記［１３６］に記載の方法であって、前記所定の量の時間は、第１の投与量情報に関して３０秒であり、第２の投与量情報に関して１分であることを特徴とする方法。
［１４０］
モジュールおよび飲料混合システムを使用して飲料を混合する方法であって、前記方法は、
前記飲料混合システムのユーザーインターフェースを介して、バッグ構造体によって前記モジュールの中に保持されている材料に関する投与量情報を受け取るステップと、
前記飲料混合システムのカップリングメカニズムの中に前記モジュールのハウジングを受け入れるステップであって、前記モジュールは、前記ハウジングにスライド可能に連結されている撹拌機を含み、前記撹拌機は、ベースおよびシャフトを有している、ステップと、
前記撹拌機の前記シャフトを前記飲料混合システムのドライブシャフトに非回転式に係合させるステップと、
前記撹拌機がシールされた位置からシールされていない位置へ移動することを引き起こし、前記撹拌機が前記ハウジングに対して平行移動するようになっており、それによって、前記バッグ構造体によって前記モジュールの中に保持されている前記材料の少なくとも一部分を、容器によって含有されている流体の中に位置決めするステップと、
受け取られた前記投与量情報に基づいて、所定の量の時間にわたって、前記撹拌機が前記シールされていない位置に残ることを可能にするステップと、
前記ドライブシャフトを回転させ、それによって、前記撹拌機が対応する様式で回転することを引き起こすステップと、
前記所定の量の時間の期間終了に応答して、前記撹拌機が前記シールされていない位置から前記シールされた位置へ移動して戻ることを引き起こすステップと
を含むことを特徴とする方法。
［１４１］
上記［１４０］に記載の方法であって、前記方法は、前記回転する間に、および、前記平行移動する間に、前記バッグ構造体によって前記モジュールの中に保持されている前記材料から前記ドライブシャフトを隔離するステップをさらに含むことを特徴とする方法。
［１４２］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、スタッキング構造体、および、１つ以上の混合ブレードを含む撹拌機であって、前記撹拌機の前記シャフトは、前記ベースから第１の方向に延在しており、また、前記ボスの前記内側ボアに対してスライド可能であり、前記撹拌機が、シールされた位置とシールされていない位置との間で移動可能であるようになっており、前記撹拌機の前記スタッキング構造体は、前記ベースから前記第１の方向に延在し、前記撹拌機の前記シャフトの少なくとも一部分を取り囲んでいる、撹拌機と、
を含むことを特徴とするモジュール。
［１４３］
上記［１４２］に記載のモジュールであって、前記ボスの少なくとも一部分は、前記撹拌機が前記シールされた位置にあるときに、前記スタッキング構造体と前記シャフトとの間に受け入れられていることを特徴とするモジュール。
［１４４］
上記［１４２］に記載のモジュールであって、前記スタッキング構造体は、概して円筒形状のコアと、前記概して円筒形状のコアに沿って間隔を置いて配置された１つ以上の円周方向に延在するバーブとを含むことを特徴とするモジュール。
［１４５］
上記［１４４］に記載のモジュールであって、前記１つ以上の円周方向に延在するバーブのそれぞれは、その上に配合物リングを支持するように構成されていることを特徴とするモジュール。
［１４６］
上記［１４５］に記載のモジュールであって、前記モジュールは、１つ以上のナイフエッジをさらに含み、前記１つ以上のナイフエッジは、前記ハウジングの内側の表面から前記ボスに向かって突出しており、また、前記撹拌機が前記シールされた位置から前記シールされていない位置へ移動するときに、前記１つ以上の円周方向に延在するバーブの上に支持されている前記配合物リングをカットするように位置決めされていることを特徴とするモジュール。
［１４７］
上記［１４２］に記載のモジュールであって、前記１つ以上の混合ブレードは、前記撹拌機の前記ベースから突出しており、前記１つ以上の混合ブレードが、前記撹拌機が前記シールされた位置にあるときには、前記内部キャビティーの中にないようになっていることを特徴とするモジュール。
［１４８］
モジュールであって、前記モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、駆動磁石、シャフト、および、１つ以上の混合ブレードを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっており、前記駆動磁石は、前記ベースに連結されており、また、１つ以上の磁界によって磁気的に係合され、前記撹拌機が前記ハウジングに対して移動することを引き起こすように位置決めされている、撹拌機と、
を含むことを特徴とするモジュール。
［１４９］
上記［１４８］に記載のモジュールであって、前記駆動磁石は、前記１つ以上の磁界によって磁気的に係合されるように構成されており、前記撹拌機が前記ハウジングに対して平行移動し、それによって、前記シールされた位置から前記シールされていない位置へ移動することを引き起こすことを特徴とするモジュール。
［１５０］
上記［１４８］に記載のモジュールであって、前記駆動磁石は、前記１つ以上の磁界によって磁気的に係合されるように構成されており、前記撹拌機が前記ハウジングに対して回転することを引き起こすことを特徴とするモジュール。
［１５１］
上記［１４８］に記載のモジュールであって、前記モジュールは、前記撹拌機の前記ベースの反対側の前記シャフトに取り付けられている第１の閉鎖磁石と、前記ボスの前記内側ボアの中に位置決めされている第２の閉鎖磁石とをさらに含み、前記第１の閉鎖磁石および前記第２の閉鎖磁石は、前記シールされた位置に前記撹拌機を保持することを支援するように構成されていることを特徴とするモジュール。
［１５２］
上記［１４８］に記載のモジュールであって、混合システムと組み合わせて、前記混合システムは、（ｉ）前記本体部に対して前記モジュールを保持するためのカップリングメカニズムを有する本体部と、（ｉｉ）前記本体部をその上に支持し、前記１つ以上の磁界を生成させるために１つ以上の電気的なコイルを含むベースとを含むことを特徴とするモジュール。
［１５３］
上記［１５２］に記載のモジュールであって、前記混合システムの前記ベースは、前記１つ以上のコイルをその中に含有する容器を受け入れる構造体を含み、前記容器を受け入れる構造体は、飲料用容器をその中に受け入れるためのエリアを画定していることを特徴とするモジュール。
［１５４］
モジュールであって、前記モジュールは、ハウジングを含み、前記ハウジングは、内部キャビティーを画定し、また、シャフトを含み、前記シャフトは、前記ハウジングのベースから前記内部キャビティーの中へ、前記ハウジングの蓋部の中の開口部を通って延在しており、前記ハウジングは、複数のサイドパネルを含み、前記複数のサイドパネルは、前記ベースと前記蓋部との間に取り付けられており、また、混合システムのドライブシャフトが前記蓋部に係合して前記蓋部を前記ベースに向けて移動させることに応答して、シールされた位置からシールされていない位置へ移行するように構成されており、それによって、前記サイドパネルのそれぞれが、それぞれの弱化線に沿って曲がり、前記内部キャビティーを露出させることを引き起こすことを特徴とするモジュール。
［１５５］
上記［１５４］に記載のモジュールであって、前記蓋部は、前記ハウジングが前記シールされた位置にあるときに、前記シャフトに固定して取り付けられていることを特徴とするモジュール。
［１５６］
上記［１５４］に記載のモジュールであって、前記蓋部は、前記シャフトに隣接する薄くなった部分を含み、前記薄くなった部分は、前記ドライブシャフトが前記蓋部に係合して前記蓋部を前記ベースに向けて移動させるときに、破壊されるようになっていることを特徴とするモジュール。
［１５７］
上記［１５４］に記載のモジュールであって、前記ハウジングが前記シールされた位置にあるときに、前記サイドパネルの隣接するもの同士は、それらの間にシールを形成していることを特徴とするモジュール。
［１５８］
上記［１５４］に記載のモジュールであって、前記シャフトが前記ドライブシャフトによって回転させられるときに、および、前記ハウジングが前記シールされていない位置にあるときに、前記サイドパネルは、混合エレメントとして作用することを特徴とするモジュール。
［１５９］
モジュールであって、前記モジュールは、
ベース、シャフト、および、第１の複数のフィンガーを含む第１のハウジング部分であって、前記シャフトは、前記ベースから第１の方向に延在しており、前記第１の複数のフィンガーは、前記ベースから前記第１の方向に延在しており、前記シャフトは、前記ベースの反対側のその端部において、第１のカップラーを含み、前記第１の複数のフィンガーのそれぞれは、前記ベースの反対側のその端部において、ロッキングタブを含む、第１のハウジング部分と、
前記第１のハウジング部分に連結され、その中にキャビティーを形成するように構成されている第２のハウジング部分であって、前記第２のハウジング部分は、蓋部、第２のカップラー、第２の複数のフィンガー、および、環状の溝部を含み、前記第２のカップラーは、前記蓋部から前記第１の方向に延在しており、また、前記第１のハウジング部分の前記シャフトの少なくとも一部分をその中に受け入れるように構成されている内側ボアを含み、前記第２の複数のフィンガーは、前記第１の方向の反対側の第２の方向に前記蓋部から延在しており、前記環状の溝部は、前記第２の複数のフィンガーに隣接して位置しており、また、前記第１の複数のフィンガーの前記ロッキングタブによって係合されるように構成されており、前記第２のハウジング部分に係合している状態で前記第１のハウジング部分を保持することを支援する、第２のハウジング部分と
を含み、
前記第１のハウジング部分および前記第２のハウジング部分は、互いに対して回転させられ、シールされた構成からシールされていない構成へ前記モジュールを切り替えるように構成されていることを特徴とするモジュール。
［１６０］
モジュールであって、前記モジュールは、
ベース、シャフト、および、第１の複数のフィンガーを含む第１のハウジング部分と、
蓋部および第２の複数のフィンガーを含む第２のハウジング部分であって、前記第２のハウジング部分は、前記第１のハウジング部分に回転可能に連結され、キャビティーをその中に形成するように構成されており、前記第１の複数のフィンガーおよび前記第２の複数のフィンガーが、互いに対して回転させられ、シールされた構成からシールされていない構成へ前記モジュールを切り替えることができるようになっている、第２のハウジング部分と
を含むことを特徴とするモジュール。
［１６１］
上記［１６０］に記載のモジュールであって、前記シャフトは、前記ベースから第１の方向に延在しており、前記第１の複数のフィンガーは、前記ベースから前記第１の方向に延在していることを特徴とするモジュール。
［１６２］
上記［１６０］に記載のモジュールであって、前記シャフトは、前記ベースの反対側のその端部において、第１のカップラーを含み、前記第１の複数のフィンガーのそれぞれは、前記ベースの反対側のその端部において、ロッキングタブを含むことを特徴とするモジュール。
［１６３］
上記［１６０］に記載のモジュールであって、前記第２のハウジング部分は、第２のカップラーおよび環状の溝部をさらに含み、前記第２のカップラーは、前記蓋部から第１の方向に延在しており、また、前記第１のハウジング部分の前記シャフトの少なくとも一部分をその中に受け入れるように構成されている内側ボアを含むことを特徴とするモジュール。
［１６４］
上記［１６３］に記載のモジュールであって、前記第２の複数のフィンガーは、前記第１の方向の反対側の第２の方向に前記蓋部から延在しており、前記環状の溝部は、前記第２の複数のフィンガーに隣接して位置決めされており、また、前記第１の複数のフィンガーのロッキングタブによって係合されるように構成されており、前記第２のハウジング部分に係合している状態で前記第１のハウジング部分を保持することを支援することを特徴とするモジュール。
［１６５］
モジュールであって、前記モジュールは、
複数のセパレーター壁部およびボスを含むハウジングであって、前記ボスは、前記ハウジングの第１の端部から、前記ハウジングの第２の対向する端部に向かって延在しており、前記ボスは、内側ボアを画定しており、前記複数のセパレーター壁部のそれぞれは、前記ハウジングの内部表面および前記ボスの外部表面から延在し、前記ハウジングの内部表面および前記ボスの外部表面に取り付けられており、それによって、前記ハウジングの内部キャビティーを複数のサブキャビティーへと分離している、ハウジングと、
ベースおよびシャフトを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっている、撹拌機と
を含むことを特徴とするモジュール。
［１６６］
上記［１６５］に記載のモジュールであって、前記撹拌機が前記シールされた位置にあるときに、前記サブキャビティーのそれぞれは、互いからシールされていることを特徴とするモジュール。
［１６７］
上記［１６５］に記載のモジュールであって、前記撹拌機が前記シールされていない位置にあるときに、前記サブキャビティーのそれぞれは、開けられており、互いからシールされていないことを特徴とするモジュール。
［１６８］
上記［１６５］に記載のモジュールであって、前記サブキャビティーのそれぞれは、概して三角形の断面を有していることを特徴とするモジュール。
［１６９］
上記［１６５］に記載のモジュールであって、前記モジュールは、１つ以上の混合ブレードをさらに含むことを特徴とするモジュール。
［１７０］
上記［１６９］に記載のモジュールであって、前記１つ以上の混合ブレードは、前記撹拌機の前記ベースから、前記シャフトの反対側の方向に延在しており、前記１つ以上の混合ブレードは、前記撹拌機が前記シールされた位置にあるときに、前記サブキャビティーの外側に位置決めされるようになっていることを特徴とするモジュール。
［１７１］
モジュールであって、前記モジュールは、
複数のサブキャビティーをその中に形成し、ボスを含むハウジングであって、前記ボスは、前記ハウジングの第１の端部から、前記ハウジングの第２の対向する端部に向かって延在しており、前記ボスは、内側ボアを画定している、ハウジングと、
ベースおよびシャフトを含む撹拌機であって、前記撹拌機の前記シャフトは、前記ベースから延在しており、また、前記ボスの前記内側ボアに対してスライド可能であり、前記撹拌機が、シールされた位置とシールされていない位置との間で移動可能であるようになっている、撹拌機と
を含むことを特徴とするモジュール。
［１７２］
上記［１７１］に記載のモジュールであって、前記サブキャビティーのそれぞれは、概して三角形の断面を有していることを特徴とするモジュール。
［１７３］
上記［１７１］に記載のモジュールであって、前記モジュールは、１つ以上の混合ブレードをさらに含むことを特徴とするモジュール。
［１７４］
上記［１７３］に記載のモジュールであって、前記１つ以上の混合ブレードは、前記撹拌機の前記ベースから、前記シャフトの反対側の方向に延在しており、前記１つ以上の混合ブレードは、前記撹拌機が前記シールされた位置にあるときに、前記サブキャビティーの外側に位置決めされるようになっていることを特徴とするモジュール。
［１７５］
上記［１７１］に記載のモジュールであって、前記サブキャビティーは、モジュール式であり、また、前記サブキャビティーは、飲料混合システムを使用して混合する前に前記サブキャビティーのうちの１つ以上の中に特定の配合物バッグを含ませることによって、前記モジュールの異なるユーザーのためにカスタマイズされ得ることを特徴とするモジュール。
［１７６］
飲料混合システムとともに使用するための配合モジュールであって、前記配合モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定しており、前記ハウジングは、概して円形のヘッドを備えるカップラーを含み、前記概して円形のヘッドは、前記内部キャビティーから離れるように前記ハウジングの前記第１の端部から突出しており、前記カップラーは、前記飲料混合システムのカップリングメカニズムによって係合されることとなり、前記飲料混合システムの前記カップリングメカニズムに対する前記ハウジングの回転および平行移動を防止する、ハウジングと、
ベース、シャフト、および混合エレメントを含む撹拌機であって、前記撹拌機の前記ベースは、前記ハウジングの前記第２の端部に付着され、前記内部キャビティーをシールしており、前記撹拌機の前記シャフトは、前記ベースから延在しており、また、前記ボスの前記内側ボアに対してスライド可能であり、前記撹拌機の前記シャフトおよび前記混合エレメントが、第１の位置と第２の位置との間で移動可能であるようになっており、前記撹拌機の前記シャフトの一部分が、前記飲料混合システムの動作の間に、前記飲料混合システムのドライブシャフトによって係合されることとなる、撹拌機と
を含み、
前記ドライブシャフトが前記撹拌機の前記シャフトに係合しているときに、前記ハウジングの前記ボスは、前記撹拌機の前記シャフトと併用して、前記ハウジングの前記内部キャビティーから前記ドライブシャフト隔離していることを特徴とする配合モジュール。
［１７７］
上記［１７６］に記載の配合モジュールであって、前記撹拌機の前記シャフトは、コレットを含み、前記コレットは、前記飲料混合システムの前記ドライブシャフトのノッチに係合するように構成されており、前記撹拌機を前記ドライブシャフトにロックし、前記ドライブシャフトの平行移動が、前記撹拌機の対応する平行移動を結果として生じさせるようになっていることを特徴とする配合モジュール。
［１７８］
上記［１７７］に記載の配合モジュールであって、前記ノッチは、前記ドライブシャフトの外部表面の中に形成されていることを特徴とする配合モジュール。
［１７９］
上記［１７６］に記載の配合モジュールであって、前記撹拌機の前記シャフトは、突出部を有しており、前記突出部は、前記ハウジングの前記ボスの前記内側ボアの中のノッチに嵌合することを特徴とする配合モジュール。
［１８０］
上記［１７９］に記載の配合モジュールであって、前記突出部および前記ノッチは、前記ドライブシャフトの汚染を防止することを支援するための機械的なシールを形成することを特徴とする配合モジュール。
［１８１］
上記［１７６］に記載の配合モジュールであって、前記カップラーは、複数の歯を含み、前記複数の歯は、前記飲料混合システムの前記カップリングメカニズムによって係合されるように構成され、前記カップリングメカニズムに対する前記ハウジングの回転を防止することを特徴とする配合モジュール。
［１８２］
上記［１７６］に記載の配合モジュールであって、前記撹拌機が前記第１の位置にあるときに、および、前記撹拌機が前記第２の位置にあるときに、前記ボスおよび前記撹拌機の前記シャフトは、前記ハウジングの前記内部キャビティーから前記ドライブシャフトを隔離していることを特徴とする配合モジュール。
［１８３］
上記［１７６］に記載の配合モジュールであって、前記撹拌機の前記ベースは、音波溶接を介して前記ハウジングの前記第２の端部に付着されていることを特徴とする配合モジュール。
［１８４］
飲料混合システムの中で使用するための配合モジュールであって、前記配合モジュールは、
外側表面から内側表面を分離する開口部とボスとを有するハウジングであって、ボスは、前記ハウジングを通って延在しており、前記外側表面の一部が、前記開口部の方を向く終端部を有する前記ボスの内側ボアを形成するようになっている、ハウジングと、
シーリング特徴部およびロッキング特徴部と、
ベース、シャフト、および混合エレメントを有する撹拌機であって、混合エレメントは、前記ベースに連結されており、前記ベースが、前記シーリング特徴部と協調して、前記ハウジングの前記開口部を円周方向にシールし、前記内側表面によって画定されるキャビティーを形成するようになっており、前記シャフトは、前記内側ボアを通過しており、前記ボスの前記終端部と前記シャフトとの間のエリアが、前記内側ボアのクリーンエリアの中への液体または粉末の侵入に対抗して、前記移動の間に機械的にシールされている状態で、前記ロッキング特徴部は、係合されているときに、前記シャフトの独立したまたは同時の平行移動および回転移動を可能にする、撹拌機と
を含むことを特徴とする配合モジュール。
［１８５］
飲料混合システムとともに使用するための配合モジュールであって、前記配合モジュールは、
内部キャビティーを画定しているハウジングであって、前記ハウジングは、ボスを含み、前記ボスは、前記ハウジングの第１の端部から前記内部キャビティーの中へ、前記ハウジングの第２の対向する端部に向かって延在しており、前記ボスは、内側ボアを画定している、ハウジングと、
ベース、シャフト、および混合エレメントを含む撹拌機であって、前記撹拌機の前記シャフトは、前記ベースから延在しており、また、前記ボスにスライド可能に連結されており、前記撹拌機が、シールされた位置とシールされていない位置との間で移動可能であるようになっており、前記撹拌機の前記シャフトの一部分が、内側ボアを画定しており、前記内側ボアは、前記飲料混合システムの動作の間に、前記飲料混合システムのドライブシャフトによって係合されることとなる、撹拌機と
を含み、
前記ドライブシャフトが前記撹拌機の前記シャフトの前記内側ボアに係合しているときに、前記ハウジングの前記ボスは、前記撹拌機の前記シャフトと併用して、前記ハウジングの前記内部キャビティーから前記ドライブシャフトを隔離していることを特徴とする配合モジュール。
［１８６］
上記［１８５］に記載の配合モジュールであって、前記撹拌機の前記シャフトの外側表面の少なくとも一部分は、前記ボスの前記内側ボアの少なくとも一部分にシーリング方式で係合しており、それによって、前記ハウジングの前記内部キャビティーからの前記ドライブシャフトの前記隔離を支援することを特徴とする配合モジュール。
［１８７］
上記［１８５］に記載の配合モジュールであって、前記配合モジュールは、前記ボスの前記内側ボアの中に位置決めされているシールをさらに含み、前記撹拌機が前記シールされた位置にあるときおよび前記シールされていない位置にあるときに、前記ハウジングの前記内部キャビティーから前記ドライブシャフトを隔離することを支援し、前記シールは、前記ハウジングおよび前記撹拌機から分離されて区別されていることを特徴とする配合モジュール。
［１８８］
上記［１８５］に記載の配合モジュールであって、前記撹拌機が前記シールされた位置にあるときに、および、前記撹拌機が前記シールされていない位置にあるときに、前記撹拌機の前記ボスおよび前記シャフトは、前記ハウジングの前記内部キャビティーから前記ドライブシャフトを隔離していることを特徴とする配合モジュール。
［１８９］
上記［１８５］に記載の配合モジュールであって、前記ハウジングは、蓋部分と、前記蓋部分から離れるように延在する側壁部分とを含み、前記ボスは、第１の端部および第２の対向する端部を有しており、前記ボスの前記第１の端部は、前記ハウジングの前記蓋部分と一体になっており、前記ハウジングの前記内部キャビティーは、（ｉ）前記ハウジングの前記側壁部分の内側表面、（ｉｉ）前記ハウジングの前記蓋部分の内側表面、（ｉｉｉ）前記ハウジングの前記ボスの外側表面、（ｉｖ）前記撹拌機の前記ベースの内側表面、および、（ｖ）前記撹拌機の前記シャフトの外側表面の一部分によって全体的に画定されていることを特徴とする配合モジュール。
［１９０］
上記［１８９］に記載の配合モジュールであって、（ｉ）前記ハウジングの前記側壁部分の前記内側表面、（ｉｉ）前記ハウジングの前記蓋部分の前記内側表面、および、（ｉｉｉ）前記ハウジングの前記ボスの前記外側表面は、連続している表面であることを特徴とする配合モジュール。
［１９１］
上記［１８５］に記載の配合モジュールであって、前記ハウジングは、外側表面を有しており、前記外側表面は、前記ボスの前記内側ボアのボア表面に連続しており、それによって、前記ハウジングの第１の表面を形成しており、前記ハウジングは、内部表面を有しており、前記内部表面は、前記ボスの外部表面に連続しており、それによって、前記ハウジングの第２の表面を形成しており、前記ハウジングの前記第１の表面および前記第２の表面は、前記ボスの端部表面によって分離されていることを特徴とする配合モジュール。
［１９２］
上記［１８５］に記載の配合モジュールであって、前記撹拌機は、前記ハウジングに対して回転するように動作可能であり、前記撹拌機は、前記ハウジングに対して平行移動するように動作可能であることを特徴とする配合モジュール。
［１９３］
上記［１９２］に記載の配合モジュールであって、前記撹拌機は、前記ハウジングに対して、同時にまたは独立して、回転および平行移動するように動作可能であることを特徴とする配合モジュール。
［１９４］
上記［１９２］に記載の配合モジュールであって、（１）前記ドライブシャフトが前記撹拌機の前記シャフトの前記内側ボアに係合すること、および、（２）前記ドライブシャフトが前記ハウジングに対して回転することに応答して、前記撹拌機は、前記ハウジングに対して回転することを特徴とする配合モジュール。
［１９５］
上記［１９２］に記載の配合モジュールであって、（１）前記ドライブシャフトが前記撹拌機の前記シャフトの前記内側ボアに係合すること、および、（２）前記ドライブシャフトが前記ハウジングに対して平行移動することに応答して、前記撹拌機は、前記ハウジングに対して平行移動することを特徴とする配合モジュール。
［１９６］
上記［１８５］に記載の配合モジュールであって、前記撹拌機の前記シャフトの前記内側ボアは、その中に回転防止特徴部を含み、前記回転防止特徴部は、前記ドライブシャフトが前記撹拌機の前記シャフトの前記内側ボアによって係合されるときに、前記ドライブシャフトの対応する回転防止特徴部に嵌合し、前記ドライブシャフトの回転が、前記撹拌機の回転を引き起こすようになっていることを特徴とする配合モジュール。
［１９７］
上記［１９６］に記載の配合モジュールであって、前記撹拌機の前記シャフトの前記回転防止特徴部は、複数の撹拌機スプラインを含み、前記複数の撹拌機スプラインは、その間に複数の撹拌機チャネルを画定しており、前記ドライブシャフトの前記回転防止特徴部は、複数のドライブシャフトスプラインを含み、前記撹拌機の前記回転防止特徴部を前記ドライブシャフトの前記対応する回転防止特徴部に嵌合させることは、前記複数のドライブシャフトスプラインを前記撹拌機チャネルの中に位置決めすることを含むことを特徴とする配合モジュール。
［１９８］
上記［１８５］に記載の配合モジュールであって、前記撹拌機の前記シャフトは、コレットを含み、前記撹拌機が前記シールされていない位置にあるときに、前記コレットは、前記ドライブシャフトのノッチに係合しており、それによって、前記撹拌機を前記ドライブシャフトにロックし、前記ドライブシャフトの平行移動が、前記撹拌機の対応する平行移動を結果として生じさせるようになっていることを特徴とする配合モジュール。
［１９９］
上記［１８５］に記載の配合モジュールであって、前記ボスの前記内側ボアは、前記撹拌機の前記シャフトの一部分がその中にフィットすることを可能にするようにサイズ決めおよび形状決めされており、前記撹拌機の前記シャフトの前記内側ボアは、前記飲料混合システムの前記ドライブシャフトの一部分がその中にフィットすることを可能にするようにサイズ決めおよび形状決めされていることを特徴とする配合モジュール。
［２００］
上記［１８５］に記載の配合モジュールであって、前記ハウジングの前記第２の端部は、開口しており、また、第１のシーリング特徴部を含み、前記撹拌機の前記ベースは、第２の対応するシーリング特徴部を含み、前記第２の対応するシーリング特徴部は、前記撹拌機が前記シールされた位置にあるときに、前記ハウジングの前記第１のシーリング特徴部に嵌合することを特徴とする配合モジュール。
［２０１］
上記［１８５］に記載の配合モジュールであって、前記ボスの前記内側ボアは、前記ハウジングの前記内部キャビティーから分離されて区別されていることを特徴とする配合モジュール。
［２０２］
上記［１８５］に記載の配合モジュールであって、前記ハウジングおよび前記ボスは、モノリシックのコンポーネントとして形成されていることを特徴とする配合モジュール。
［２０３］
上記［１８５］に記載の配合モジュールであって、前記混合エレメントは、前記ベースから概して垂直に延在する複数の混合ブレードを含むことを特徴とする配合モジュール。
［２０４］
配合モジュールおよび飲料混合システムを使用して飲料を混合する方法であって、前記方法は、
前記配合モジュールを前記飲料混合システムに連結するステップであって、前記配合モジュールは、撹拌機を含み、前記撹拌機は、内部キャビティーを画定するハウジングにスライド可能に連結されており、前記ハウジングは、ボスを含み、前記ボスは、前記ハウジングの第１の端部から、前記内部キャビティーの中へ、前記ハウジングの第２の対向する端部に向かって延在しており、前記撹拌機は、ベース、シャフト、および混合エレメントを有している、ステップと、
前記撹拌機の前記シャフトを前記飲料混合システムのドライブシャフトに非回転式に係合させるステップと、
前記撹拌機がシールされた位置からシールされていない位置へ移動することを引き起こすステップであって、前記撹拌機が前記ハウジングに対して平行移動するようになっている、ステップと、
前記ドライブシャフトを回転させ、それによって、前記撹拌機が対応する様式で回転することを引き起こすステップと、
前記回転する間に、および、前記平行移動する間に、前記ハウジングの前記ボスおよび前記撹拌機の前記シャフトを使用して、前記ハウジングの前記内部キャビティーから前記ドライブシャフトを隔離するステップと
を含むことを特徴とする方法。
［２０５］
栄養補助飲料混合システムとともに使用するための、栄養補助材料を含む配合モジュールであって、前記配合モジュールは、シールされた構成およびシールされていない構成を有しており、前記配合モジュールは、
第１の端部および第２の対向する端部を有し、内部キャビティーを画定するハウジングであって、前記ハウジングは、ボスを含み、前記ボスは、前記ハウジングの前記第１の端部から前記ハウジングの前記第２の端部に向かって前記キャビティーの中へ延在し、内側ボアを画定しており、前記ボスの前記内側ボアは、前記栄養補助飲料混合システムのドライブシャフトの一部分がそれを通過することを可能にし、前記ハウジングの前記第２の端部は、開口しており、また、シーリング特徴部を含む、ハウジングと、
ベース、シャフト、および、複数の混合エレメントを含む撹拌機であって、前記撹拌機の前記シャフトは、前記ベースに隣接する第１の端部、および、第２の対向する端部を有しており、前記撹拌機の前記シャフトは、前記ベースから概して垂直に延在しており、前記撹拌機の前記シャフトは、前記ハウジングの前記内側ボアの中にスライドし、前記複数の混合エレメントは、前記ベースから概して垂直に延在しており、前記撹拌機の前記シャフトの一部分は、前記ドライブシャフトによって係合されることとなる内側ボアを画定しており、前記撹拌機の前記シャフトの前記内側ボアは、その中に複数の撹拌機スプラインを有しており、前記複数の撹拌機スプラインは、その間に複数の撹拌機チャネルを画定しており、前記ドライブシャフトが前記撹拌機の前記シャフトの前記内側ボアによって係合されるときに、前記ドライブシャフトの複数のドライブシャフトスプラインを受け入れており、前記撹拌機の前記シャフトの前記第２の端部は、コレットを含み、前記配合モジュールが前記シールされていない構成になっているときに、前記ドライブシャフトのノッチに係合し、前記ベースは、シーリング特徴部を含み、前記配合モジュールが前記シールされた構成になっているときに、前記ハウジングの前記シーリング特徴部に嵌合する、撹拌機と
を含み、
前記ドライブシャフトが前記撹拌機の前記シャフトの前記内側ボアによって係合されているときに、前記ハウジングの前記ボスは、前記撹拌機の前記シャフトと併用して、前記配合モジュールが前記シールされた構成になっているときおよび前記シールされていない構成になっているときに、前記栄養補助材料から前記ドライブシャフトを隔離していることを特徴とする配合モジュール。
［２０６］
上記［２０５］に記載の配合モジュールであって、前記栄養補助材料は、医薬品を含むことを特徴とする配合モジュール。
［２０７］
上記［１８４］に記載の配合モジュールであって、前記撹拌機の前記シャフトの外側表面の少なくとも一部分は、前記ボスの前記内側ボアの少なくとも一部分にシーリング方式で係合していることを特徴とする配合モジュール。
［２０８］
上記［１８４］に記載の配合モジュールであって、前記配合モジュールは、前記ボスの前記内側ボアの中に位置決めされているシールをさらに含み、前記シールは、前記ハウジングおよび前記撹拌機から分離されて区別されていることを特徴とする配合モジュール。
［２０９］
上記［１８４］に記載の配合モジュールであって、（１）前記飲料混合システムのドライブシャフトが前記撹拌機の前記シャフトの内側ボアに係合すること、および、（２）前記ドライブシャフトが前記ハウジングに対して回転することに応答して、前記撹拌機は、前記ハウジングに対して回転することを特徴とする配合モジュール。
［２１０］
上記［１８４］に記載の配合モジュールであって、（１）前記飲料混合システムのドライブシャフトが前記撹拌機の前記シャフトの内側ボアに係合すること、および、（２）前記ドライブシャフトが前記ハウジングに対して平行移動することに応答して、前記撹拌機は、前記ハウジングに対して平行移動することを特徴とする配合モジュール。
［２１１］
上記［１８４］に記載の配合モジュールであって、前記撹拌機の前記シャフトの前記内側ボアは、その中に回転防止特徴部を含み、前記回転防止特徴部は、前記ドライブシャフトが前記撹拌機の前記シャフトの前記内側ボアによって係合されるときに、前記飲料混合システムのドライブシャフトの対応する回転防止特徴部に嵌合し、前記ドライブシャフトの回転が、前記シャフトの前記回転移動を引き起こすようになっていることを特徴とする配合モジュール。
［２１２］
上記［２１１］に記載の配合モジュールであって、前記撹拌機の前記シャフトの前記回転防止特徴部は、複数の撹拌機スプラインを含み、前記複数の撹拌機スプラインは、その間に複数の撹拌機チャネルを画定しており、前記ドライブシャフトの前記回転防止特徴部は、複数のドライブシャフトスプラインを含み、前記撹拌機の前記回転防止特徴部を前記ドライブシャフトの前記対応する回転防止特徴部に嵌合させることは、前記複数のドライブシャフトスプラインを前記撹拌機チャネルの中に位置決めすることを含むことを特徴とする配合モジュール。
［２１３］
上記［１８４］に記載の配合モジュールであって、前記ロッキング特徴部は、コレットを含み、前記コレットは、前記撹拌機の前記シャフトと一体であり、前記コレットは、前記飲料混合システムのドライブシャフトのノッチに係合するように構成されており、前記撹拌機を前記ドライブシャフトにロックし、前記ドライブシャフトの平行移動が、前記シャフトの前記平行移動を結果として生じさせるようになっていることを特徴とする配合モジュール。
［２１４］
上記［１８４］に記載の配合モジュールであって、前記ハウジングおよび前記ボスは、モノリシックのコンポーネントとして形成されていることを特徴とする配合モジュール。
［２１５］
上記［１８４］に記載の配合モジュールであって、前記混合エレメントは、前記ベースから概して垂直に延在する複数の混合ブレードを含むことを特徴とする配合モジュール。
［２１６］
上記［１８４］に記載の配合モジュールであって、前記配合モジュールは、その中に医薬品材料を含むことを特徴とする配合モジュール。
［２１７］
上記［２０４］に記載の方法であって、前記撹拌機の前記シャフトの外側表面の少なくとも一部分は、前記ボスの内側ボアの少なくとも一部分にシーリング方式で係合しており、それによって、前記ハウジングの前記内部キャビティーからの前記ドライブシャフトの前記隔離を支援することを特徴とする方法。
［２１８］
上記［２０４］に記載の方法であって、前記方法は、前記ボスの内側ボアの中にシールを位置決めするステップであって、前記撹拌機が前記シールされた位置および前記シールされていない位置にあるときに、前記ハウジングの前記内部キャビティーから前記ドライブシャフトを前記隔離することを支援し、前記シールは、前記ハウジングおよび前記撹拌機から分離されて区別されている、ステップをさらに含むことを特徴とする方法。
［２１９］
上記［２０４］に記載の方法であって、前記回転させるステップは、前記撹拌機が前記ハウジングに対して回転することを引き起こすステップを含むことを特徴とする方法。
［２２０］
上記［２０４］に記載の方法であって、前記非回転式に係合させるステップは、前記撹拌機の前記シャフトの内側ボアの中の回転防止特徴部を、前記飲料混合システムの前記ドライブシャフトの対応する回転防止特徴部に係合させるステップを含むことを特徴とする方法。
［２２１］
上記［２２０］に記載の方法であって、前記撹拌機の前記シャフトの前記回転防止特徴部は、複数の撹拌機スプラインを含み、前記複数の撹拌機スプラインは、その間に複数の撹拌機チャネルを画定しており、前記ドライブシャフトの前記回転防止特徴部は、複数のドライブシャフトスプラインを含み、前記非回転式に係合させるステップは、前記撹拌機チャネルの中に前記複数のドライブシャフトスプラインを位置決めするステップを含むことを特徴とする方法。
［２２２］
上記［２０４］に記載の方法であって、前記方法は、前記撹拌機の前記シャフトのコレットを前記ドライブシャフトのノッチに係合させるステップをさらに含み、前記撹拌機を前記ドライブシャフトにロックし、前記ドライブシャフトの平行移動が、前記撹拌機の平行移動を結果として生じさせるようになっていることを特徴とする方法。
［２２３］
上記［２０４］に記載の方法であって、前記ハウジングおよび前記ボスは、モノリシックのコンポーネントとして形成されていることを特徴とする方法。
［２２４］
上記［２０４］に記載の方法であって、前記混合エレメントは、前記ベースから概して垂直に延在する複数の混合ブレードを含むことを特徴とする方法。
［２２５］
上記［２０４］に記載の方法であって、前記引き起こすステップの前に、前記配合モジュールは、その中に医薬品材料を含むことを特徴とする方法。
［２２６］
図のいずれかに示されているようなハウジングおよび撹拌機を含むことを特徴とするモジュール。
［２２７］
図のいずれかに示されているようなハウジングおよび撹拌機を含むモジュールと組み合わせたことを特徴とする図のいずれかに示されているような飲料混合システム。
［２２８］
図のいずれかに示されているようなドライブシャフトと組み合わせたことを特徴とする図のいずれかに示されているようなハウジングおよび撹拌機を含むモジュール。
［２２９］
図２１Ａ〜図２１Ｊに示されているようなハウジングおよび撹拌機を含むことを特徴とするモジュール。
［２３０］
図２２Ａ〜図２２Ｉに示されているようなハウジングおよび撹拌機を含むことを特徴とするモジュール。
［２３１］
図２３Ａ〜図２３Ｆに示されているようなハウジングおよび撹拌機を含むことを特徴とするモジュール。
［２３２］
図２４Ａ〜図２４Ｈに示されているようなハウジングおよび撹拌機を含むことを特徴とするモジュール。
［２３３］
図２５Ａ〜図２５Ｅに示されているようなハウジングおよび撹拌機を含むことを特徴とするモジュール。
［２３４］
図２６Ａ〜図２６Ｄに示されているようなハウジングおよび撹拌機を含むことを特徴とするモジュール。
［２３５］
図２７Ａ〜図２７Ｆに示されているようなハウジングおよび撹拌機を含むことを特徴とするモジュール。
［２３６］
図２９Ａ〜図２９Ｇに示されているようなハウジングを含むことを特徴とするモジュール。
［２３７］
図３１Ａ〜図３１Ｈに示されているようなハウジングを含むことを特徴とするモジュール。
［２３８］
図２０Ａ〜図２０Ｃに示されているようなドライブシャフト。
［２３９］
図２８Ａ〜図２８Ｃに示されているようなドライブシャフト。
［２４０］
図３０Ａ〜図３０Ｃに示されているようなドライブシャフト。
［２４１］
上記［１］から［２４０］のいずれか１つに記載の１つ以上のエレメントを含むことを特徴とするモジュール。
［２４２］
飲料混合システムと組み合わせたことを特徴とする上記［１］から［２４１］のいずれか１つに記載のモジュール。
［２４３］
飲料混合システムのドライブシャフトと組み合わせたことを特徴とする上記［１］から［２４２］のいずれか１つに記載のモジュール。
［２４４］
図のいずれかに示されているようなドライブシャフトを含むことを特徴とする飲料混合システム。
［２４５］
ハウジングおよび撹拌機を含むモジュールと組み合わせたことを特徴とする上記［２４４］に記載の飲料混合システム。
［２４６］
上記［１］から［２４５］のいずれか１つに記載のモジュールを含むことを特徴とする飲料混合システム。